(57)【要約】【課題】ピンポイント的に足裏を刺激し、つぼ押し効果を有する突起部を編成工程のみで形成した靴下を提供する。【解決手段】靴下の足底部の内面に内方に突出する多数の高い隆起部１１と低い隆起部１２とが形成されており、弾性糸を編糸としており、弾性糸を保持ループとして少なくとも１０コース以上ウエルトループが形成される浮き編がコース方向に１〜３ウェール置きに４〜８つ編成されたことによって高い隆起部が形成されており、多数の高い隆起部１１は低い隆起部１２と窪み部１３とにより互いに隔てられている。【選択図】図２
2010106397.tif 000002
【特許請求の範囲】
【請求項１】
靴下の足底部の内面に内方に突出する多数の高い隆起部と低い隆起部とが形成されており、弾性糸を編糸としており、該弾性糸を保持ループとして少なくとも１０コース以上ウエルトループが形成される浮き編がコース方向に１〜３ウェール置きに４〜８つ編成されたことによって前記高い隆起部が形成されており、前記多数の高い隆起部は前記低い隆起部と窪み部とにより互いに隔てられていることを特徴とする靴下。
【請求項２】
前記低い隆起部はコース方向において隣合う前記高い隆起部を隔て、該低い隆起部が表かのこ編で編成されていることを特徴とするを請求項１記載の靴下。
【請求項３】
前記窪み部はウェール方向において隣合う前記高い隆起部を隔て、該窪み部が並かのこ編で編成されていることを特徴とするを請求項１または請求項２記載の靴下。
【請求項４】
靴下の甲部にバンド部が形成されており、該バンド部がリブ編で編成されていることを特徴とする請求項１〜３の何れか１項に記載の靴下。
【請求項５】
靴下の足底部は前記弾性糸である編糸と共に補強用編糸が編込まれており、前記補強用編糸は嵩高加工糸であり、足底部のみに編込まれていることを特徴とする請求項１〜４の何れか１項に記載の靴下。
【請求項６】
靴下の踵部が目減し・目増しを行わずに編成されており、脚部を編成した全編針で引き続き踵部と甲部とが同時に編成されていることを特徴とする請求項１〜５の何れか１項に記載の靴下。
【請求項７】
靴下の甲部および脚部には靴下の内面に内方に突出する周方向にジグザグの畝が形成されていることを特徴とする請求項１〜６の何れか１項に記載の靴下。
【発明の詳細な説明】
【技術分野】
【０００１】
本発明は靴下（本発明における靴下はソックス、ハイソックス、パンティストッキング、サポータおよびタイツを含む）に関するものである。
【背景技術】
【０００２】
従来、足裏のつぼを刺激し、健康の増進を図るために、例えば、特許第３８０９０７２号公報（特許文献１）や特許第３１１６０２５号公報（特許文献２）のように靴下の足底部に合成樹脂製の突起物を付着したものが提案されている。
【０００３】
また、編成以外の二次的な加工手段によらず編成工程のみで靴下の足底部に凹凸を形成することが、実用新案登録第３０６１３３４号公報（特許文献３）に提案されている。同様に、実用新案登録第３０７６７０２号公報（特許文献４）には、マッサージ効果を得るために、編成工程により靴下の足底部に凹凸状の波形の畝を形成することが提案されている。
【０００４】
従来の靴下の編成方法においては、靴下の踵部の形成に際しては、踵部ポケット（すなわち、着用者の踵が入る膨らみ）を形成するために脚部を編成していたときの針筒の全回転を往復回転運動に変えて、１往復毎に動作針を両端で１本ずつ減らし、全針数の約１／６まで減らした後に、１往復毎に動作針を両端で１本ずつ増やし元の針数まで戻し、その後、甲部および足底部を全回転で編成することが行われている（例えば、特許第３７００１４８号公報参照）。
【特許文献１】特許第３８０９０７２号公報
【特許文献２】特許第３１１６０２５号公報
【特許文献３】実用新案登録第３０６１３３４号公報
【特許文献４】実用新案登録第３０７６７０２号公報
【特許文献５】特許第３７００１４８号公報
【発明の開示】
【発明が解決しようとする課題】
【０００５】
特許文献１や特許文献２に開示されているように靴下の足底部に合成樹脂製の突起物を付着させることは、靴下の編成工程とは別に行わなくてはならず、生産工程が増加し、生産コストが高価になる。また、靴下の使用、洗濯などにより、突起物の破損や脱落したり、突起物により靴下の編地が損傷されたりするという問題がある。
【０００６】
特許文献３に開示されている靴下では、足底部がコース方向およびウェール方向共に１〜２コース、１〜２ウェール毎に表目と裏目とを交互に配置したリンクス編で編成され、編地表面に突出した裏目のループにより凹凸が形成されている。この靴下は凹凸によって編地と肌との密着度が減少するのでべとつき感を緩和でき着用感が良好である。しかし、この靴下ではマッサージやつぼ押し作用は無く、健康の増進は期待できない。
【０００７】
特許文献４に開示されている靴下では、凹凸状の畝をタック編またはパール編で形成している。タック編は通常１〜３コースで編針に掛かっている編糸（ループ）を旧い編目から脱出させず（すなわち、タックする）、次のコースで複数ループを脱出させることにより形成されるものである。
【０００８】
このようにタック編であると１つの目にタックした数の糸が一緒に編まれるため、タック編した部分の編目が大きくなってしまうとともに編目が開いたメッシュ状となる。このためタックする数は多くできないので、あまりマッサージ効果が期待できない。連続した畝状の凸部ではピンポイントのつぼ押し効果は得られない。また、通常、靴下の足底部は丈夫さが要求されるが、タック編した部分の編目が大きく開いた状態となり、編糸がほつれたり切れたりし易いという問題も生じる。
【０００９】
一方、パール編の場合は表目と裏目のコースを交互に配列した編組織であるが、特許文献３と同様に編地表面に突出した裏目のループにより凹凸が形成されるだけであるので、マッサージ効果が殆ど得られない。
【００１０】
踵部が形成されている靴下の方が踵部の無いものよりも履き心地が良いが、従来の靴下の編成では、踵部の形成のために針筒の往復運動や編目の減少・増加を行うため、踵部を形成しない靴下の編成に比較すると、製造時間が長くなるという問題がある。
【００１１】
本発明はこのような従来の問題に鑑みて、ピンポイント的に足裏を刺激し、つぼ押し効果を有する突起部を編成工程のみで形成した靴下を提供することを目的とするものである。
【課題を解決するための手段】
【００１２】
本発明は、靴下の足底部の内面に内方に突出する多数の高い隆起部と低い隆起部とが形成されており、弾性糸を編糸としており、該弾性糸を保持ループとして少なくとも１０コース以上ウエルトループが形成される浮き編がコース方向に１〜３ウェール置きに４〜８つ編成されたことによって前記高い隆起部が形成されており、前記多数の高い隆起部は前記低い隆起部と窪み部とにより互いに隔てられていることを特徴とする靴下により前記目的を達成する。
【００１３】
低い隆起部はコース方向において隣合う高い隆起部を隔てている。この低い隆起部の編組織は特に限定されないが、表かのこ編であることが好ましい。
【００１４】
窪み部はウェール方向において隣合う高い隆起部を隔てている。窪み部の編組織は特に限定されないが、並かのこ編で編成されていることが好ましい。
【００１５】
靴下の甲部にバンド部が形成されており、バンド部がリブ編で編成されていることが好ましい。
【００１６】
靴下の足底部は前記弾性糸である編糸と共に補強用編糸が編込まれており、この補強用編糸は嵩高加工糸であり、足底部のみに編込まれていることが好ましい。
【００１７】
靴下の踵部が目減し・目増しを行わずに編成されており、脚部を編成した全編針で引き続き踵部と甲部とが同時に編成されていることが好ましい。また、靴下の甲部および脚部には靴下の内面に内方に突出する周方向にジグザグの畝が形成されていることが好ましい。
【発明の効果】
【００１８】
本発明によれば、靴下の足底部には弾性糸を編糸としており、この弾性糸を保持ループとして少なくとも１０コース以上ウエルトループが形成される浮き編がコース方向に１〜３ウェール置きに４〜８つ編成されたことによって高い隆起部が形成されており、しかも多数の高い隆起部が低い隆起部と窪み部とにより互いに隔てられているので、靴下の着用者の足裏をピンポイント的に刺激し、つぼ押し効果を発揮し、健康増進に役立つことができる。
【００１９】
本発明によれば、高い隆起部は編成により形成されるので、二次加工により突起を形成する場合に比較して、品質が安定し、コスト面でも有利であり、しかも合成樹脂製の突起に比較すると足が痛くならない。また、本発明では、４〜８つの浮き編が１〜３ウェール置きに編まれ、浮き編と浮き編との間の平編目のウェールと浮き編のウエルトループが足底部の内面に内方に突出する多数の高い隆起部となるので、特許文献３や特許文献４の凹凸に比較すると、凸部の高さが高く、ずっと強い適度の刺激を足裏に付与することができる。
【００２０】
本発明において、低い隆起部の編組織を表かのこ編とすると、窪み部よりも編目の数が少なく、靴下の外側から見ると、凹部となり、足底部の全体にクッション性を付与することができ、着用感が良くなる。
【００２１】
また、窪み部の編組織は平編でも良いが、並かのこ編とすると、適度の厚みが得られ、平編の場合よりも丈夫になる。
【００２２】
靴下の甲部にリブ編でバンド部が形成されている場合、リブ編により靴下の足底部が着用者の足裏（特に土踏まず）にフィットするので、つぼ押し効果が良くなる。
【００２３】
本発明によれば、靴下の足底部は弾性糸である編糸と共に補強用編糸が同時に編込まれるので、丈夫である。しかも、隆起部が弾性糸と補強用編糸が一緒になって形成されるので、弾性糸だけの場合よりも隆起部が堅くなり、より一層つぼ押し効果を発揮することができる。また、補強用編糸は足底部のみに編込まれているので、靴下全体が分厚くなることがなく、本発明の靴下を着用してパンプスを履くことができ、ファッション性にも優れている。
【００２４】
更に、本発明によれば、踵部の形成時に目減し・目増しを行わず、脚部を編成した全編針で引き続き踵部と甲部とを同時に編成するので、製造時間が短縮できる。特に、靴下の甲部および脚部に靴下の内面に内方に突出する周方向にジグザグの畝を形成する場合には、畝によりマッサージ効果が得られる。そして、その畝を短い浮き編により形成し、踵部を平編とすると、同じコース数を編成しても平編箇所の長さよりも浮き編箇所は内方に突出する分だけ短くなるので、充分な大きさを有する踵部の膨らみを形成できる。
【発明を実施するための最良の形態】
【００２５】
以下、本発明の実施の形態を図面に基いて説明する。図１は本発明の靴下の一実施例の正面図である。この実施例の靴下はハイソックスであり、足底部１、踵部２、甲部３、バンド部４、爪先部５、脚部６および履き口部７からなり、履き口部７から爪先部５に向かって連続して編成され、その後、爪先部５の先端の開口をリンキング５ａにより閉じられる。
【００２６】
本発明の靴下では、少なくとも足底部１は弾性糸を編糸として編成する。このような編糸としてはポリウレタン糸に嵩高加工糸（例えば、ウーリーナイロン糸）を巻き付けた糸（ＦＴＹ）を使用する。ＦＴＹとしては、例えば５０ｄｔｅｘのポリウレタン糸〔「ライクラ」登録商標〕を芯糸とし、４４ｄｔｅｘのウーリーナイロンでカバーリングした編糸を使用する。
【００２７】
甲部３および脚部６の内面に内方に突出する周方向にジグザグの畝を形成する場合は、同じ弾性糸を編糸として編成すればよい。
【００２８】
また、足底部１には補強用編糸を添糸として弾性糸と一緒に編込む。補強用編糸は嵩高加工糸を使用し、太めの糸、例えば１１０ｄｔｅｘのウーリーナイロン、を使用する。この補強用編糸は足底部のみに編込み、余分な糸は後で足底部１と甲部３との境で切断する。
【００２９】
図２は本発明の靴下の足底部１の内面の凹凸を模式的に示した斜視図であり、図３は足底部１の表側に見られる凹凸を模式的に示した平面図である。図２に示すように、本発明の靴下は足底部１の内面に内方に突出する多数の高い隆起部１１と低い隆起部１２とが形成されており、多数の高い隆起部１１は低い隆起部１２と窪み部１３とにより互いに隔てられている。一方、表側から見ると、図３に模式的に示すように、凸部１４と凹部１５が形成されており、凸部１４の箇所に浮き編の保持ループ２１が見える。
【００３０】
靴下の内面に形成される高い隆起部１１は、弾性糸を保持ループ２１として少なくとも１０コース以上ウエルトループを形成した浮き編を、コース方向に１〜３ウェール置きに４〜８つ編成することによって形成される。
【００３１】
図４は浮き編の状態を分かり易く示すための拡大した編組織図である。図４に示すように、浮き編２０は保持ループ２１とウエルトループ２２からなる。浮き編は弾性糸による編目を保持した編針が編成中にウエルト位置をとり、編目を保持したままとすることにより形成される。この保持するコース数は図４に示したものは１１コースであり、１１コース編む最中は浮き編の保持ループ２１となる編目を保持した編針はウエルト位置に保たれたままであって、編成動作を行なわず、その間に供給される糸は編目を編成せず、ウエルトループ２２となって、裏側に飛んだ状態となっている。
【００３２】
図４に示した実施例では、浮き編２０はコース方向に１ウェール置きに、すなわち、浮き編２０と通常の平編目のウェール３０とが交互に配置され、隣合う浮き編がウェール方向において１コースずれて編成されている。
【００３３】
図４では保持ループ２１を長く描いているが、本発明では保持ループ２１は弾性糸により編成されるので、製造された靴下においては弾性糸が収縮した状態であり、靴下の表側から見ると図３に示したように直線状に見える。そして、浮き編２０のウエルトループ２２および平編目のウェール３０は靴下の内面に内方に突出した高い隆起部１１となる。
【００３４】
図５は本発明の靴下の足底部１、踵部２、甲部３およびバンド部４のデザイン図の一実施例を示すものであり、図５において各図柄はそれぞれ異なった編組織を示している。図５において各符号は図１の各部分に対応するもので、すなわち、１は足底部、２は踵部、３は甲部、４はバンド部である。図６は図５において符号１で示した足底部１の編組織を編目で表わした編組織図である。
【００３５】
図６に示すように、この実施例では浮き編は１４コース飛ばし（ウェール方向にウエルトループが１４個形成される）の浮き編２０がコース方向に１ウェール置きに５つ編成されて、１つの高い隆起部１１が形成される。図６に示した実施例でも、浮き編２０と通常の平編目のウェール３０とが交互に配置され、隣合う浮き編がウェール方向において１コースずれて編成されている。
【００３６】
図６に示した実施例では、高い隆起部１１と高い隆起部１１との間の低い隆起部１２は表かのこ編である。表かのこ編は、コース方向においてニットとタックを交互に行い、ウェール方向においては直前のコースでニットした針はタックし、タックした針はニットすることにより編成される。
【００３７】
窪み部１３はウェール方向において隣合う高い隆起部１１および低い隆起部１２を隔てており、図６に示した実施例では、窪み部１３は並かのこ編で編成されている。並かのこ編は第１コースでニットとタックを交互に行い、第２コースで全針ニットを行い、第３コースでは第１コースとは反対にニットとタックを行い、第４コースでは全針ニットを行うことにより編成される。
【００３８】
なお、低い隆起部１２および窪み部１３の編組織は図６に示したものに限定されないが、全部の編目を平編とするよりも、タックを使用した編組織にすると高い隆起部１１とのバランスがよい。
【００３９】
図５に示すように、踵部２は楕円形に編成され、踵部２の本体部２１は平編で編成され、甲部３との境の周縁部２２は表かのこ編とした。
【００４０】
また、図１および図５に示した実施例では、靴下を着用した際に土踏まずと対応する甲の位置に当たるようにバンド部４を配置することが好ましい。このバンド部４はリブ編で編成し、靴下の足底部１が着用者の足裏にフィットするようにした。
【００４１】
本発明では、甲部３および脚部６の編組織は特に限定されないが、好ましくは足の血行を良くするようなものが好ましい。
【００４２】
編成時にテンションを変化させて、足先から脚部上部へ向かって靴下による着圧を徐々に低くすることにより静脈からの血の還流を促すようにしてもよい（例えば、特許第２８２２０９０号公報参照）が、単に着圧を変化させただけでは静脈における血液の還流が不充分であるので、併せてマッサージ効果もあるような編組織とすることが好ましい。
【００４３】
このようなマッサージ効果を有する靴下の編成方法は、本願出願人が所有する特許第３３９５９７６号の特許公報に開示されている。この特許公報に開示されている編成方法により甲部３と脚部６を編成して、靴下の内面に内方に突出する多数本の畝を形成することが好ましい。この編成方法によれば、弾性糸を保持ループとして少なくとも６コース以上ウエルトループが形成された浮き編を１〜５ウェールの間隔を開けて編成することによって畝が形成される。畝を周方向にジグザグ状に編成するには、浮き編を開始する位置をウェール方向に１〜２コースずつずらせてジグザグに配置すればよい。
【００４４】
畝は、畝と畝との間隔が等間隔で配列されていてもよいし、畝と畝との間隔がふくらはぎ部から足首部に向かって狭くなっていてもよい。また、畝は、ふくらはぎ部から足首部に向かって畝の高さが高くなっていてもよい。そして、編成時にテンションを変化させてもよい。
【００４５】
このようにすると、足裏のつぼ押し効果だけでなく、甲部３や脚部６に形成した畝により足の皮膚のマッサージ効果と適度な着圧変化により、より一層の血行促進効果が得られ、足のむくみも防止できる。
【図面の簡単な説明】
【００４６】
【図１】本発明の靴下の一実施例の正面図である。
【図２】本発明の靴下の足底部の内面の凹凸を模式的に示した斜視図である。
【図３】足底部の表側に見られる凹凸を模式的に示した平面図である。
【図４】浮き編の状態を分かり易く示すための拡大した編組織図である。
【図５】本発明の靴下の足底部、踵部、甲部およびバンド部のデザイン図の一実施例を示すものである。
【図６】図５において符号１で示した足底部の編組織を編目で表わした編組織図である。
【符号の説明】
【００４７】
１  足底部
２  踵部
３  甲部
４  バンド部
６  脚部
１１  高い隆起部
１２  低い隆起部
１３  窪み部
１４  凸部
１５  凹部
２０  浮き編
２１  保持ループ
２２  ウエルトループ
３０  平編目のウェール
【図１】
2010106397.tif 000003
【図２】
2010106397.tif 000004
【図３】
2010106397.tif 000005
【図４】
2010106397.tif 000006
【図５】
2010106397.tif 000007
【図６】
2010106397.tif 000008